(57)【要約】【課題】夏の炎天下屋外で両手を使って作業をする時、使用する日除け体では、帽子、庇の大きい麦わら帽子が有るが、日除けの効果しかなく、頭と日除け体上部との間に熱がこもるのを、熱をこもらなくして、快適と迄はいかないまでも不快感を和らげる効果の物で、屋外で作業若しくはレジャーが出来る、日除け体を作る事が課題である。【解決手段】 日除け体と、これに取り付けられた庇とから成り、庇は部分円錐状の弾性材料より成り、庇は反転可能に庇円周部に反転折れ線を設け、庇取り付け下部の日除け体に通風口を形成し、前記日除け体に頭接体と、あご紐と、頭接体とあご紐とを接続する接続帯を設け、更に前記接続帯と日除け体下部とを結ぶ線体を設け、前記接続帯と線体とあご紐とを、耳骨下部から後ろ方向で固着し、日除け体の頭部保持機構として設け、前記日除け体と庇の外面に遮光性状を持たせ、内面に遮熱性状を持たるように形成して解決した、ハット。【選択図】図７
2010070884.tif 000002
【特許請求の範囲】
【請求項１】
日除け体と、これに間隔を有して設けた複数の庇と、庇間に設けた通風口とを有し、環状の頭接体と、前記頭接体と日除け体とを接続する支持体との構成で成るハット。
【請求項２】
請求項１のハットに、あご紐と、接続帯と、線体とを設け、接続帯はあご紐と頭接体とを接続し、線体の一端は日除け体下部に接続し、線体の他端は接続帯とあご紐の交点に接続した、請求項1に記載のハット。
【請求項３】
請求項１に記載の日除け体の庇の一部を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にした、請求項1もしくは請求項２に記載のハット。
【発明の詳細な説明】
【技術分野】
【０００１】
夏の炎天下、屋外で使用する日除け体で、前記日除け体に複数の庇（ひさし）をつけたハットに関する物である。
【背景技術】
【０００２】
つば前面は開閉が上下に自由に調整出来るのとコンパクトに折畳むことも出来る、日焼け防止傘で、傘本体に頭部2とつば3を設け、つばの前部は、前が見える様にアミ目模様の薄い布のつばの前部5を設け頭部にバンド6とリボン7を設けたもの、（例えば特許文献1）
【０００３】
クラウン部2及び鍔部3とから構成されている帽子1に於いて、当該クラウン部2の少なくとも1部であって、且つ当該クラウン部2の円周の少なくとも1部に帯状の通気部4を設けると共に当該通気部4に対応して当該通気部4を被覆する当該被覆部5が設けられており、当該被覆部5は当該通気部4を任意に且つ選択的に開放状態若しくは閉鎖状態にし得る様に構成されている帽子1である（例えば特許文献2）
【０００４】
特許文献1の、つば前面の開閉が上下に自由に出来る機構は、記憶形状ワイヤーを用いていて、どの様にすれば開閉が上下に出来るかの記載は無いが、本願発明のハットは日除け体に斜め下向きに設けた庇を、斜め上方向に一部もしくは全周を折り返せる様にして、通風口への集風効率を高め、下向きの作業の時は、庇を斜め下方向に一部を折り返せ、通常は全周を斜め上方向に折り返した状態で作業し、作業状態もしくは、雨が降ったり又は風が強く吹き出した時には通風口を閉じる事で対応し、通風口の開閉で雨の振込み又は通風を調整する機構とした、機構・構成面で差異がある。
【０００５】
特許文献2の、当該被覆部5は当該通気部4を任意に且つ選択的に開放・閉鎖状態にし得る様に成っている、その構成は、当該被覆部5の上縁部５２に弾性線条体１３をパイプ状の中に入れ前記弾性線条体１３を当該被覆部5の上縁部５２に周回させ前記弾性線条体１３のスライドにより当該通気部4を出したり覆ったりする構成であり、通気の量を調整する機能・効果の点では類似するも、本願発明のハットは日除け体の庇を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にしたハットであり、ひさしを折り返す機構を設けて、通風口の開閉による通気量の調整及び一部遮光調整(下向きの作業の時)が出来る機構とした、機構・構成面で差異がある。
【０００６】
【特許文献１】特開２００８−２６１４３３      日焼け防止傘
【特許文献２】特許３６６０９０２              帽子
【発明の開示】
【発明が解決しようとする課題】
【０００７】
夏の炎天下屋外で両手を使って作業をする時、立って居るだけでも汗が出る条件下で、使用する日除け体では、帽子（野球帽を基本とした物・1つの庇を持つ物）、庇（ひさし）の大きい麦わら帽子、農作業等で女性が使用している、庇が野球帽子の様に付き頭部全体と首部を覆い日焼けを防止する物等が、代表格として挙げられるが、何れも日除けの効果しかなく頭と日除け体上部との間に熱がこもり、この頭と日除け体上部との間に熱をこもらなくして、快適と迄はいかないまでも不快感を和らげる効果の物で、炎天下屋外で作業若しくはレジャーが出来る、日除け体を作る事が課題である。
【課題を解決するための手段】
【０００８】
第一の発明は日除け体と、これに間隔を有して設けた複数の庇と、庇間に設けた通風口とを有し、環状の頭接体と、前記頭接体と日除け体とを接続する支持体との構成で成るハットを提供する。
【０００９】
第二の発明は第一の発明のハットに、あご紐と、接続帯と、線体とを設け、接続帯はあご紐と頭接体とを接続し、線体の一端は日除け体下部に接続し、線体の他端は接続帯とあご紐の交点に接続した、第一の発明に記載のハットを提供する。
【００１０】
第に三の発明は第一の発明に記載の日除け体の庇の一部を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にした、第一の発明もしくは第二の発明に記載のハットを提供する。
【００１１】
日除け体の頭部を覆う部分から大径に伸ばした部分を庇とし、日除け体の頭部を覆う部分と、庇とが一体と成っていて境がはっきりしない物も有る、図３・図５・図１２・図１４の下段の庇は折り返しの凹線部（１ｂ−６ｂ・２ｂ−６ｂ）を設けているので、日除け体の頭部を覆う部分と庇との境がはっきりしているが、下段の庇を折り返さない構造にした物すなわち、図３・図５・図１２・図１４の折り返しの凹線部（１ｂ−６ｂ・２ｂ−６ｂ）を削除した物が、日除け体の頭部を覆う部分と庇とが一体と成って境がはっきりしない物に該当する。
又環状の頭接体と日除け体との間は間隔を設けて風を通り易くするのが良い。
【００１２】
第一の発明のハットに、あご紐（５−１）と、接続帯(５−２)と、線体（５−５）とを設け、接続帯(５−２）は、あご紐（５−１）と頭接体（４−１)とを接続し、線体の一端は日除け体下部更に線体（５−５）を設け、線体の一端は日除け体下部（１ｂ−１１）に接続し、線体の他端は接続帯(５−２)とあご紐（５−１）の交点に接続し、前記頭接体とあご紐とを接続する接続帯と、線体もしくは紐体と、あご紐とを、耳骨（Ｙａ）下部から後ろ方向（５−４）で固着し、前記固着部が耳骨下頭蓋骨近接部０ｍｍから後ろ方向１０ｍｍ近辺になる様に、線体もしくは紐体及び接続帯（５−２）の長さを調節する事で、風によるハットの前後左右のずれ防止対策(日除け体の頭部保持機構)とする、前記線体（５−５) と接続帯を繋ぐ日除け体下部（１ｂ−１１）の位置は、日除け体の中心から少なくとも２５０mmＲの位置にすれば、６−８ｍ／ｓｅｃの風に抗して頭部に保持出来、線体もしくは紐体の長さ調節機構は色々有るが、同一人が使用する場合は一度だけの設定で良く、少し手数が掛かっても確実に係止（掛止）出来る機構が好ましい。
極端な表現をすれば線体（５−５）もしくは紐体の長さの調節と、接続帯（５−２）の長さの調節は、長さ調節機構を設け無くても、一度だけの設定だから購入した個人が自分に合う様に調節出来る調節要領書を添付することでも対応出来る。
尚あご紐絞り体（５−３）は少し力を入れないと作動出来ない程度が良い。
【００１３】
第一の発明の庇及び、第三の発明の日除け体及び庇は、遮光・遮熱性状を持つ物を使用すればハット使用時の涼感が増し、又は外側に遮光性状を持つ物を固着するか、又は外側が遮光性状を持つ日除け体及び庇にして、日除け体及び庇の内側に遮熱性状を持つ物を固着すればハット使用時の涼感が更に増大するし、見た目にもスリムに見える。
【００１４】
第三の発明は、庇を斜め上方向に折り返せる庇で、庇の斜め下むきから斜め上方向に折り返す角度巾は限定しないが、折り返し易く更に集風効率を高める角度幅は、５０゜から８０゜が好ましく、日除け体及び庇は折り返せる弾性性状を有するもので、石油系            樹脂材（ポリプロピレンを含む）を使用すれば庇及びハット全体を大径にすることが出来るし、日除け体及び庇の外側に、遮光性状を有する金属の蒸着をすることも出来る、又図６・１４の折り返しの凹線部は折り返し易くするには図６（ｂ）・１４（ｂ）が良くハット全体を1ないし2体成型するのには図6（ｂ・ｃ）・１４（ｂ・ｃ）が良い。
又第一の発明から第三の発明の日除け体及び庇は耐久性が劣るが、厚紙もしくはダンボール紙でも、製作可能であり、一度だけとか、数回のみの使用のハットには、前記材料等の使用でもよい。
【発明の効果】
【００１５】
夏の炎天下屋外で両手を使って作業をする時、もしくは移動しながら作業する時、頭と日除け体上部との間に熱をこもらなくなり、快適と迄はいかないまでも不快感を和らげる様になる。
【００１６】
このハットの外面及び内面に富士山とか衆議院良好党とかJリーグ・ファイトキャットとか大山県知事小山とかを、プリント若しくはワッペン等により表示することで、観光や野外会合・観戦後の土産物やスポーツチームグッズにすることが出来る。
【００１７】
日除け体と庇を、遮光性状を有する石油系樹脂材で一体成型し、内面（外面）に遮熱性状を持つ発泡材体を塗布もしくは固着すれば、イニシャルコストは掛かるが、ランニングコストは低く出来生産量が増えるほどマージンは大きくなる。
【００１８】
最下段の庇端に暖簾状の「おしゃれな」遮光効果のフリル等をあしらう事で、紫外線カット（ＵＶカット）も出来日焼け防止にもなる。
【００１９】
第二の発明により今まで３−４ｍ／ｓｅｃの風でハットがずれていたのが、あご紐（５−１）と、頭接体（４−１）とあご紐（５−１）とを接続する接続帯（５−２）と、日除け体下部とを繋ぐ線体（５−５）と、頭接体周長調節機構（Ｒａ）の、セットをきっちりし、更にあご紐絞り体（５−３）に少し力を入れ絞りセットすれば６−８ｍ／ｓｅｃの風でもハットがずれ無くなった。
【実施例】
【００２０】
当発明の図面の重要部分は拡大・誇張して表示して詳細部が判り易くし、又実線と実線が近接していて、図の電子化オンライン送信の際、実線と実線の間が黒く成るケースが多々有るので、実線と実線の間を少し広くして表現するか又は１本の線であらわし、その他の部分に於いては縮尺して表示した部分もあり、又図面間の寸法は縮尺及び拡大されている。
【００２１】
日除け体（１ｂ・２ｂ・３ｂ）と、これに間隔を有して設けた複数の庇（１ｂ−1・２ｂ−１ａ・２ｂ−２・３ｂ−１〜３ｂ−４）と、日除け体の一部の庇（１ｂ−２）と庇間に設けた通風口（Ｗ）とを有し、環状の頭接体（４−１）と、前記頭接体（４−１）と日除け体とを接続する支持体（４−２）との構成で、顎紐（５）{日除け体及び環状の頭接体（４−１）から直接連結した物}を付けることもできるハット（図１・図３・図１4）。
【００２２】
頭接体（４−１）に、あご紐（５−１）と、前記頭接体とあご紐とを接続する接続帯（５−２）を設け、更に線体（５−５、もしくは紐体）を設け線体の一端を日除け体下部に、他端を前記接続帯に繋いで設け、前記接続帯と線体とあご紐とを、耳骨下部から後ろ方向で固着し（５−４）、日除け体の頭部保持機構として構成した、第一の発明に記載のハットで（図８）、前記あご紐（５−１）と、接続帯（５−２）と線体（５−５）との交点(固着部)が耳骨下部から後ろ方向にくる様に接続帯（５−２）と線体（５−５）との長さ調節構造を設けた物である。
【００２３】
００２２項記載の、あご紐（５−１）と、接続帯（５−２）と線体（５−５）との交点（固着部、５−４）は人により頭接体（４−１）に接する頭の形状や頭接部の周長や耳骨の形状が違うが、耳骨下部から後ろ方向（０〜１０ｍｍ程度）にすると、前方もしくは斜め前方向からの６〜８／ｓｅｃ程度の風に対する日除け体（１ｂ・２ｂ・３ｂ）の保持が出来、後方もしくは横方の風に対しては日除け体（１ｂ・２ｂ・３ｂ）を風上側に斜めに向けること事で対応出来る、また日除け体（１ｂ・２ｂ）では風上側の通風口（Ｗ）を閉じ方向に折り返すこと事でも対応出来る。
【００２４】
図8の線体（５−５）及び頭接体とあご紐とを接続する接続帯（５−２）の長さ調整機構は、マジックファスナー（登録商標）を含め現在普及している物だけでも無数に有るので、本願発明では１〜２例図示（図８〜１０）するにとどめた。
【００２５】
日除け体の庇(折り返し部を持つ１ｂ−1・1ｂ−２・２ｂ−２）を、日除け体に斜め下向きに設け、前記庇の一部を斜め上方向に折り返せ、更に庇全体も折り返せて、折り返し状態を保持する構造にした（図3・図7・図１4）、もしくは日除け体に、庇取り付け折り返し部を持つきり割り片（図１2・２ｂ−１ｂ）に庇（図１3・２ｂ−１ａ）を固着して設けた、第一の発明もしくは第二の発明に記載のハット。
【００２６】
図１〜図２は間隔を開けて設けた複数の庇と、庇間に設けた通風口（Ｗ）とを有したハットの斜視図であり、日除け体本体から大径方向に伸ばした、日除け体固着部（３ｂ−５）を有した庇（３ｂ−２〜３ｂ−４・１図ｂ）と天板の庇（３ｂ−１）を、日除け体の本体（３ｂ）に固着し、庇間に通風口を設けたもので、通風口から入る直射日光を通風口の直上の庇で遮り、頭接体（４−１）と日除け体との間に熱がこもらない様にして、支持体（４−２）で頭接体（４−１）と日除け体とを支持し、前記頭接体（４−１）と日除け体との間には間隔を設け、更に頭接体とあご紐とを接続する接続帯（５−２）に、あご紐（５−１）を、又あご紐（５−１）にはあご紐を絞る絞り体（５−３）を設けた物で有り、庇及び日除け体には遮光・遮熱性状の少なくとも1性状を持つ物を使用すると涼感が増す。
尚日除け体の頭部保持機構に属さない顎紐（５）{日除け体及び環状の頭接体（４−１）から直接連結した物}を付けることもできるし、風の影響を受けない場所での使用が多いい人用に顎紐（５）をつけないハットも僅かな風をも通し、頭と日除け体上部との間に熱がこもるのを和らげるので、顎紐（５）をつけない物も当発明に含む。
【００２７】
図５は、日除け体（１ｂ）に折り返しの凹線部（１ｂ−６ｂ）を設けて、折り返す事が出来る庇（１ｂ−２）を下段に設け、更に通風口（Ｗ）を設けたもの｛環状の頭接体（４−１）と日除け体と支持体（４−２）と頭接体（４−１）に、あご紐（５−１）と、接続帯（５−２）等は設けられている、｝で、前記折り返しの凹線部（１ｂ−６ｂ）は図6の（ａ）・（ｂ）の様に板体に折り曲げの凹線、もしくは図6の（ｃ）の様に裏面にV・U線を成型(押し型)加工し折り曲げられる様にした物で、庇を含む日除け体部は一体成型加工も可能である。
【００２８】
図4は（ａ）・（ｂ）の折り返しの凹線部（１ｂ−６ａ）を有し、日除け体に固着する固着部（１ｂ−５）を設けた上段の庇で、固着部（１ｂ−５）にVの切り込みを入れた図4 （ｂ） でも良く、前記庇を上段に庇が斜め下向きに成るように図5の日除け体に固着する。
【００２９】
図４の庇を図５の日除け体に固着したものが図3で、図7の１ｂ−１・１ｂ−２の仮想線で表示している様に庇全体を折り返すことも又図１４の様に一方向を折り返すことも出来、更にその状態を保持出来るハットである。
【００３０】
図8は日除け体の頭部保持機構斜視図で、日除け体（１ｂ・２ｂ・３ｂ）の日除け体本体を透視し（省いて）、日除け体の頭部保持機構の詳細を表示したもので、環状の頭接体（４−１）を概略4等分した位置から、頭接体とあご紐とを接続する接続帯（５−２）を左右2箇所、耳たぶ（Ｙ）を吊る様な形にして設け、前記接続帯（５−２）と環状の頭接体（４−１）に接続帯（５−２）の長さ調整機構４ａ・４ｂを設けて（図１０）、日除け体を頭にセットした時にゆとりが少なく成る様に、４ａ・４ｂの操作で長さを調整し、更に線体を設け、前記線体（５−５もしくは紐体）に、長さ調整機構（図９・Ｌａ・Ｌｂ）を設け、線体（５−５もしくは紐体）の一方の掛止部もしくは固着部（Ｊ）を、日除け体下部（１ｂ−１１）の斜め前方に左右2箇所設けて掛止又は固着し、線体（５−５もしくは紐体）の他方を、あご紐絞り体（５−３）を有するあご紐（５−１）と、接続帯（５−２）との交点の、耳骨下部から後ろ方向（０〜１０ｍｍ程度）に接続して固着（５−４）し、
【００３１】
更に頭接体周長調節機構（図１１−ａ・ｂ・Ｒａ）を設け、前記頭接体周長調節機構（図１１−ａ・ｂ・Ｒａ）で頭接体周長を調節し、日除け体の使用時に風が吹き出して日除け体がずれそうに成った時、あご紐のあご紐絞り体（５−３）を少し強く(頭部もしくは顎付近に圧迫感を感じ不快に成らない程度) 絞った時、前記接続帯（５−２）の固着（５−４）部と日除け体下部（１ｂ−１１）とを繋ぐ、線体（５−５）を指ではじくと「ピーン」と鳴るようにし、又接続帯（５−２）と線体（５−５）とあご紐の交点(固着部)の後ろ側の接続帯と頭部の間に、指も入り難いくらいに接続帯（５−２）と線体（５−５）の双方の長さ調整をする必要がある。
【００３２】
前記接続帯（５−２）と線体（５−５）の双方の長さ調整構造は、環状の頭接体（４−１）と接続帯（５−２）と、日除け体下部（１ｂ−１１）と、接続帯（５−２）と、の間の何処に設けても良く、接続帯（５−２）と線体（５−５）とあご紐の交点（固着部）が耳骨下部から後ろ方向（０〜１０ｍｍ程度）に成る様に調整できれば良い。
【００３３】
第一の発明に記載の環状の頭接体（４−１）は弾性体で、あご紐のあご紐絞り体（５−３）を少し強く絞った時、頭接部が頭の外周形状に近い方向になり、頭の外周の頭接部分が多くなる程度の弾性を有した物で、概略楕円形で頭接体周長調節機構（図１１−ａ・ｂ・Ｒａ）を有しており、前記機構を調節して頭接部の頭の外周より110%~120%長くすることでも、又頭接体周長調節機構（Ｒａ）を設けないで、頭接部サイズをＬＬ・L・M・S・ＳＳのように数段階に設けることでも対処出来る。
【００３４】
頭接体周長調節機構で現存している物は無数に有るが一例として図１１を記載した、前記調節機構の操作は頭接体（４−１）に嵌入した弾性体部を有するインナー（Ｒ３）に設けた凸（Ｒ−２）を押し込む操作をして頭接体（４−１）に設けた穴（Ｒ−１）に出し入れして周長を調節する。
【００３５】
図１２は簡易日除け体の裁断形成図で、日除け体と庇部を１〜２体に（裁断形成機の使用も出来る）裁断し、更に折り返しの凹線部（図１５・２ｂ−６ａ・２ｂ−６ｂ）を設けた物で、板体を図１２に加工し簡易日除け体組み付けの凸部（２ｂ−７）を簡易日除け体組み付けの穴部（１ｂ−８）に挿入して｛組み付け強度が不足する場合は、前記簡易日除け体組み付けの凸部２ｂ−７と簡易日除け体組み付けの穴部１ｂ−８の設置数を増加するか、又は板体Wり部２ｂ−９と２ｂ−７側の板体とに補強をする、（例えばホッチキス加工をプラスする）｝三角すい状の日除け体にして図１３の上から1段目の庇（２ｂ−１ａ）を日除け体のきり割り片（２ｂ−２ｂ）に 固着し図１４として、顎紐（５）のみ、もしくは接続帯（５−２）と線体（５−５）とあご紐（５−１）とあご紐絞り体（５−３）と頭接体周長調節機構（図１１−ａ・ｂ・Ｒａ）を設け、庇の一部を斜め上方向に折り返せ（図１4）、更に庇の全体も折り返せて（図７）、折り返し状態を保持する構造にした（図7・図１4）ハットである。
【図面の簡単な説明】
【００３６】
【図１】複数の庇と、庇間に設けた通風口とを有したハットの斜視図（ａ）と中間の庇の斜視図（ｂ）。
【図２】図１のＡ−Ａ断面図。
【図３】庇の一部もしくは全部を、斜め下向きから斜め上向きに折り返せるハットの斜視図。
【図４】上から1段目の庇の斜視図。
【図５】図4の庇を除いたハットの斜視図。
【図６】図4のＣ−Ｃ断面図。
【図７】図3のＢ−Ｂ断面図。
【図８】日除け体の頭部保持機構斜視図。
【図９】日除け体の頭部保持機構の線体の長さ調整機構の1例の斜視図。
【図１０】頭接体とあご紐とを接続する接続帯の、長さ調整機構の1例の斜視図。
【図１１】頭接体周長調節機構図
【図１２】簡易日除け体の裁断形成図。
【図１３】簡易日除け体上段の庇斜視図。
【図１４】図１２に図１３を組み付けた斜視図
【図１５】図１２のＤ−Ｄ断面図。
【符号の説明】
【００３７】
１ｂ．      日除け体（庇・折り返し部を持つ）
１ｂ−１．  1段目の庇
１ｂ−２．  ２段目の庇
１ｂ−５．  日除け体に固着する、庇の固着部
１ｂ−５ａ．日除け体に固着する、切欠き部を入れた庇の固着部
１ｂ−６．  庇及び日除け体の折り返しの凹線部
１ｂ−１１．日除け体下部で強度アップ部
２ｂ．      簡易日除け体
２ｂ−１ａ．上から1段目の庇
２ｂ−２ｂ．庇を固着する日除け体のきり割り片
２ｂ−２．  日除け体の庇部(上から2段目)
２ｂ−６ａ．上段の日除け体の折り返しの凹線部及び、日除け体のきり割り片の折り返しの凹線部              
２ｂ−６ｂ．下段の日除け体の折り返しの凹線部及び、日除け体のきり割り片の折り返しの凹線部              
２ｂ−７．  簡易日除け体組み付けの凸部
２ｂ−８．  簡易日除け体組み付けの穴部
２ｂ−９．  簡易日除け体組み付けのWり部
３ｂ．      庇の折り返し部を持たない 日除け体
３ｂ−１．  1段目の庇（天板）
３ｂ−２．  2段目の庇
３ｂ−３．  3段目の庇
３ｂ−４．  4段目の庇
３ｂ−５．  日除け体に固着する、庇の固着部
４−１．    環状の頭接体
４−２．    環状の頭接体と日除け体とを、接続する支持体
４ａ．      接続帯の長さ調整機構で環状の頭接体に固着されている凸
４ｂ．      接続帯の長さ調整機構で接続帯の片側に割れ目を持つ複数の穴部
５．        日除け体保持機構に属さない顎紐
５−１．    あご紐
５−２．    頭接体とあご紐とを接続する接続帯
５−３．    あご紐を絞る、絞り体
５−４．    接続帯と線体とあご紐とを、耳骨下部から後ろ方向で固着する固着部
５−５．    日除け体保持機構の線体もしくは紐体
Ｊ．        日除け体保持機構の線体の固着部で、日除け体下部の強度アップ部
Ｌａ．      日除け体保持機構の線体の長さ調整機構の一例a
Ｌｂ．      日除け体保持機構の線体の長さ調整機構の一例b
Ｒa．       頭接体周長調節機構の一例
Ｒ−１．    頭接体周長調節機構の頭接体（４−１）のインナーの凸（Ｒ−２）が入る穴
Ｒ−２．    頭接体周長調節機構の弾性体の割り溝を持つインナーの凸
Ｒ−３．    頭接体周長調節機構の頭接体（４−１）の弾性体の割り溝と凸を持つインナ    ー            
Ｙ．        耳たぶ
Ｙａ．      耳骨
Ｗ．        庇間に設けた通風口
【図１】
2010070884.tif 000003
【図２】
2010070884.tif 000004
【図３】
2010070884.tif 000005
【図４】
2010070884.tif 000006
【図５】
2010070884.tif 000007
【図６】
2010070884.tif 000008
【図７】
2010070884.tif 000009
【図８】
2010070884.tif 000010
【図９】
2010070884.tif 000011
【図１０】
2010070884.tif 000012
【図１１】
2010070884.tif 000013
【図１２】
2010070884.tif 000014
【図１３】
2010070884.tif 000015
【図１４】
2010070884.tif 000016
【図１５】
2010070884.tif 000017
【手続補正書】
【提出日】平成20年11月4日(2008.11.4)
【手続補正１】
【補正対象書類名】明細書
【補正対象項目名】全文
【補正方法】変更
【補正の内容】
【発明の詳細な説明】
【技術分野】
【０００１】
夏の炎天下、屋外で使用する日除け体で、前記日除け体に複数の庇（ひさし）をつけたハットに関する物である。
【背景技術】
【０００２】
つば前面は開閉が上下に自由に調整出来るのとコンパクトに折畳むことも出来る、日焼け防止傘で、傘本体に頭部2とつば3を設け、つばの前部は、前が見える様にアミ目模様の薄い布のつばの前部5を設け頭部にバンド6とリボン7を設けたもの、（例えば特許文献1）
【０００３】
クラウン部2及び鍔部3とから構成されている帽子1に於いて、当該クラウン部2の少なくとも1部であって、且つ当該クラウン部2の円周の少なくとも1部に帯状の通気部4を設けると共に当該通気部4に対応して当該通気部4を被覆する当該被覆部5が設けられており、当該被覆部5は当該通気部4を任意に且つ選択的に開放状態若しくは閉鎖状態にし得る様に構成されている帽子1である（例えば特許文献2）
【０００４】
特許文献1の、つば前面の開閉が上下に自由に出来る機構は、記憶形状ワイヤーを用いていて、どの様にすれば開閉が上下に出来るかの記載は無いが、本願発明のハットは日除け体に斜め下向きに設けた庇を、斜め上方向に一部もしくは全周を折り返せる様にして、通風口への集風効率を高め、下向きの作業の時は、庇を斜め下方向に一部を折り返せ、通常は全周を斜め上方向に折り返した状態で作業し、作業状態もしくは、雨が降り又は風が強く吹き出した時には通風口を閉じる事で対応し、通風口の開閉で雨の降り込み又は通風を調整する機構とした、機構・構成面で差異がある。
【０００５】
特許文献2の、当該被覆部5は当該通気部4を任意に且つ選択的に開放・閉鎖状態にし得る様に成っている、その構成は、当該被覆部5の上縁部５２に弾性線条体１３をパイプ状の中に入れ前記弾性線条体１３を当該被覆部5の上縁部５２に周回させ前記弾性線条体１３のスライドにより当該通気部4を出したり覆ったりする構成であり、通気の量を調整する機能・効果の点では類似するも、本願発明のハットは日除け体の庇を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にしたハットであり、ひさしを折り返す機構を設けて、通風口の開閉による通気量の調整及び一部遮光調整(下向きの作業の時)が出来る機構とした、機構・構成面で差異がある。
【０００６】
【特許文献１】特開２００８−２６１４３３      日焼け防止傘
【特許文献２】特許３６６０９０２              帽子
【発明の開示】
【発明が解決しようとする課題】
【０００７】
夏の炎天下屋外で両手を使って作業をする時、立って居るだけでも汗が出る条件下で、使用する日除け体では、帽子（野球帽を基本とした物・1つの庇を持つ物）、庇（ひさし）の大きい麦わら帽子、農作業等で女性が使用している、庇が野球帽子の様に付き頭部全体と首部を覆い日焼けを防止する物等が、代表格として挙げられるが、何れも日除けの効果しかなく頭と日除け体上部との間に熱がこもり、この頭と日除け体上部との間に熱をこもらなくして、快適と迄はいかないまでも不快感を和らげる効果の物で、炎天下屋外で作業若しくはレジャーが出来る、日除け体を作る事が課題である。
【課題を解決するための手段】
【０００８】
第一の発明は日除け体と、これに間隔を有して設けた複数の庇と、庇間に設けた通風口とを有し、環状の頭接体と、前記頭接体と日除け体とを接続する支持体との構成で成るハットを提供する。
【０００９】
第二の発明は第一の発明のハットに、あご紐と、接続帯と、線体とを設け、接続帯はあご紐と頭接体とを接続し、線体の一端は日除け体下部に接続し、線体の他端は接続帯とあご紐の交点に接続した、第一の発明に記載のハットを提供する。
【００１０】
第三の発明は第一の発明に記載の日除け体の庇の一部を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にした、第一の発明もしくは第二の発明に記載のハットを提供する。
【００１１】
日除け体の頭部を覆う部分から大径に伸ばした部分を庇とし、日除け体の頭部を覆う部分と、庇とが一体と成っていて境がはっきりしない物も有る、図３・図５・図１２・図１４の下段の庇は折り返しの凹線部（１ｂ−６ｂ・２ｂ−６ｂ）を設けているので、日除け体の頭部を覆う部分と庇との境がはっきりしているが、下段の庇を折り返さない構造にした物すなわち、図３・図５・図１２・図１４の折り返しの凹線部（１ｂ−６ｂ・２ｂ−６ｂ）を削除した物が、日除け体の頭部を覆う部分と庇とが一体と成って境がはっきりしない物に該当する。
又環状の頭接体と日除け体との間は間隔を設けて風を通り易くするのが良い。
【００１２】
第一の発明のハットに、あご紐（５−１）と、接続帯(５−２)と、線体（５−５）とを設け、接続帯(５−２）は、あご紐（５−１）と頭接体（４−１)とを接続し、線体の一端は日除け体下部（１ｂ−１１）に接続し、線体の他端は接続帯(５−２)とあご紐（５−１）の交点に接続し、前記頭接体とあご紐とを接続する接続帯と、線体もしくは紐体と、あご紐とを、耳骨（Ｙａ）下部から後ろ方向（５−４）で固着し、前記固着部が耳骨下頭蓋骨近接部０ｍｍから後ろ方向１０ｍｍ近辺になる様に、線体もしくは紐体及び接続帯（５−２）の長さを調節する事で、風によるハットの前後左右のずれ防止対策(日除け体の頭部保持機構)とする、前記線体（５−５) と接続帯を繋ぐ日除け体下部（１ｂ−１１）の位置は、日除け体の中心から少なくとも２５０mmＲの位置にすれば、６−８ｍ／ｓｅｃの風に抗して頭部に保持出来、線体もしくは紐体の長さ調節機構は色々有るが、同一人が使用する場合は一度だけの設定で良く、少し手数が掛かっても確実に係止（掛止）出来る機構が好ましい。
極端な表現をすれば線体（５−５）もしくは紐体の長さの調節と、接続帯（５−２）の長さの調節は、長さ調節機構を設け無くても、一度だけの設定だから購入した個人が自分に合う様に調節出来る調節要領書を添付することでも対応出来る。
尚あご紐絞り体（５−３）は少し力を入れないと作動出来ない程度が良い。
【００１３】
第一の発明の庇及び、第三の発明の日除け体及び庇は、遮光・遮熱性状を持つ物を使用すればハット使用時の涼感が増し、又は外側に遮光性状を持つ物を固着するか、又は外側が遮光性状を持つ日除け体及び庇にして、日除け体及び庇の内側に遮熱性状を持つ物を固着すればハット使用時の涼感が更に増大するし、見た目にもスリムに見える。
【００１４】
第三の発明は、庇を斜め上方向に折り返せる庇で、庇の斜め下むきから斜め上方向に折り返す角度巾は限定しないが、折り返し易く更に集風効率を高める角度幅は、５０゜から８０゜が好ましく、日除け体及び庇は折り返せる弾性性状を有するもので、石油系樹脂材（ポリプロピレンを含む）を使用すれば庇及びハット全体を大径にすることが出来るし、日除け体及び庇の外側に、遮光性状を有する金属の蒸着をすることも出来る、又図６・１４の折り返しの凹線部は折り返し易くするには図６（ｂ）・１４（ｂ）が良くハット全体を1ないし2体成型するのには図6（ｂ・ｃ）・１４（ｂ・ｃ）が良い。
又第一の発明から第三の発明の日除け体及び庇は耐久性が劣るが、厚紙もしくはダンボール紙でも、製作可能であり、一度だけとか、数回のみの使用のハットには、前記材料等の使用でもよい。
【発明の効果】
【００１５】
夏の炎天下屋外で両手を使って作業をする時、もしくは移動しながら作業する時、頭と日除け体上部との間に熱をこもらなくなり、快適と迄はいかないまでも不快感を和らげる様になる。
【００１６】
このハットの外面及び内面に富士山とか衆議院良好党とかJリーグ・ファイトキャットとか大山県知事小山とかを、プリント若しくはワッペン等により表示することで、観光や野外会合・観戦後の土産物やスポーツチームグッズにすることが出来る。
【００１７】
日除け体と庇を、遮光性状を有する石油系樹脂材で一体成型し、内面（外面）に遮熱性状を持つ発泡材体を塗布もしくは固着すれば、イニシャルコストは掛かるが、ランニングコストは低く出来生産量が増えるほどマージンは大きくなる。
【００１８】
最下段の庇端に暖簾状の「おしゃれな」遮光効果のフリル等をあしらう事で、紫外線カット（ＵＶカット）も出来日焼け防止にもなる。
【００１９】
第二の発明により今まで３−４ｍ／ｓｅｃの風でハットがずれていたのが、あご紐（５−１）と、頭接体（４−１）とあご紐（５−１）とを接続する接続帯（５−２）と、日除け体下部とを繋ぐ線体（５−５）と、頭接体周長調節機構（Ｒａ）の、セットをきっちりし、更にあご紐絞り体（５−３）に少し力を入れ絞りセットすれば６−８ｍ／ｓｅｃの風でもハットがずれ無くなった。
【実施例】
【００２０】
当発明の図面の重要部分は拡大・誇張して表示して詳細部が判り易くし、又実線と実線が近接していて、図の電子化オンライン送信の際、実線と実線の間が黒く成るケースが多々有るので、実線と実線の間を少し広くして表現するか又は１本の線であらわし、その他の部分に於いては縮尺して表示した部分もあり、又図面間の寸法は縮尺及び拡大されている。
【００２１】
日除け体（１ｂ・２ｂ・３ｂ）と、これに間隔を有して設けた複数の庇（１ｂ−1・２ｂ−１ａ・２ｂ−２・３ｂ−１〜３ｂ−４）と、日除け体の一部の庇（１ｂ−２）と庇間に設けた通風口（Ｗ）とを有し、環状の頭接体（４−１）と、前記頭接体（４−１）と日除け体とを接続する支持体（４−２）との構成で、顎紐（５）{日除け体及び環状の頭接体（４−１）から直接連結した物}を付けることもできるハット（図１・図３・図１4）。
【００２２】
頭接体（４−１）に、あご紐（５−１）と、前記頭接体とあご紐とを接続する接続帯（５−２）を設け、更に線体（５−５、もしくは紐体）を設け線体の一端を日除け体下部に、他端を前記接続帯に繋いで設け、前記接続帯と線体とあご紐とを、耳骨下部から後ろ方向で固着し（５−４）、日除け体の頭部保持機構として構成した、第一の発明に記載のハットで（図８）、前記あご紐（５−１）と、接続帯（５−２）と線体（５−５）との交点(固着部)が耳骨下部から後ろ方向にくる様に接続帯（５−２）と線体（５−５）との長さ調節構造を設けた物である。
【００２３】
００２２項記載の、あご紐（５−１）と、接続帯（５−２）と線体（５−５）との交点（固着部、５−４）は人により頭接体（４−１）に接する頭の形状や頭接部の周長や耳骨の形状が違うが、耳骨下部から後ろ方向（０〜１０ｍｍ程度）にすると、前方もしくは斜め前方向からの６〜８／ｓｅｃ程度の風に対する日除け体（１ｂ・２ｂ・３ｂ）の保持が出来、後方もしくは横方の風に対しては日除け体（１ｂ・２ｂ・３ｂ）を風上側に斜めに向けること事で対応出来る、また日除け体１ｂ・２ｂでは風上側の通風口（Ｗ）を閉じ方向に折り返すこと事でも対応出来る。
【００２４】
図8の線体（５−５）及び頭接体とあご紐とを接続する接続帯（５−２）の長さ調整機構は、マジックファスナー（登録商標）を含め現在普及している物だけでも無数に有るので、本願発明では１〜２例図示（図８〜１０）するにとどめた。
【００２５】
日除け体の庇(折り返し部を持つ１ｂ−1・1ｂ−２・２ｂ−２）を、日除け体に斜め下向きに設け、前記庇の一部を斜め上方向に折り返せ、更に庇全体も折り返せて、折り返し状態を保持する構造にした（図3・図7・図１4）、もしくは日除け体に、庇取り付け折り返し部を持つきり割り片（図１2・２ｂ−１ｂ）に庇（図１3・２ｂ−１ａ）を固着して設けた、第一の発明もしくは第二の発明に記載のハット。
【００２６】
図１〜図２は間隔を開けて設けた複数の庇と、庇間に設けた通風口（Ｗ）とを有したハットの斜視図であり、日除け体本体から大径方向に伸ばした、日除け体固着部（３ｂ−５）を有した庇（３ｂ−２〜３ｂ−４・１図ｂ）と天板の庇（３ｂ−１）を、日除け体の本体（３ｂ）に固着し、庇間に通風口を設けたもので、通風口から入る直射日光を通風口の直上の庇で遮り、頭接体（４−１）と日除け体との間に熱がこもらない様にして、支持体（４−２）で頭接体（４−１）と日除け体とを支持し、前記頭接体（４−１）と日除け体との間には間隔を設け、更に頭接体とあご紐とを接続する接続帯（５−２）に、あご紐（５−１）を、又あご紐（５−１）にはあご紐を絞る絞り体（５−３）を設けた物で有り、庇及び日除け体には遮光・遮熱性状の少なくとも1性状を持つ物を使用すると涼感が増す。
尚日除け体の頭部保持機構に属さない顎紐（５）{日除け体及び環状の頭接体（４−１）から直接連結した物}を付けることもできるし、風の影響を受けない場所での使用が多いい人用に顎紐（５）をつけないハットも僅かな風をも通し、頭と日除け体上部との間に熱がこもるのを和らげるので、顎紐（５）をつけない物も当発明に含む。
【００２７】
図５は、日除け体（１ｂ）に折り返しの凹線部（１ｂ−６ｂ）を設けて、折り返す事が出来る庇（１ｂ−２）を下段に設け、更に通風口（Ｗ）を設けたもの｛環状の頭接体（４−１）と日除け体と支持体（４−２）と頭接体（４−１）に、あご紐（５−１）と、接続帯（５−２）等は設けられている、｝で、前記折り返しの凹線部（１ｂ−６ｂ）は図6の（ａ）・（ｂ）の様に板体に折り曲げの凹線、もしくは図6の（ｃ）の様に裏面にV・U線を成型(押し型)加工し折り曲げられる様にした物で、庇を含む日除け体部は一体成型加工も可能である。
【００２８】
図4は（ａ）・（ｂ）の折り返しの凹線部（１ｂ−６ａ）を有し、日除け体に固着する固着部（１ｂ−５）を設けた上段の庇で、固着部（１ｂ−５）にVの切り込みを入れた図4 （ｂ） でも良く、前記庇を上段に庇が斜め下向きに成るように図5の日除け体に固着する。
【００２９】
図４の庇を図５の日除け体に固着したものが図3で、図7の１ｂ−１・１ｂ−２の仮想線で表示している様に庇全体を折り返すことも又図１４の様に一方向を折り返すことも出来、更にその状態を保持出来るハットである。
【００３０】
図8は日除け体の頭部保持機構斜視図で、日除け体（１ｂ・２ｂ・３ｂ）の日除け体本体を透視し（省いて）、日除け体の頭部保持機構の詳細を表示したもので、環状の頭接体（４−１）を概略4等分した位置から、頭接体とあご紐とを接続する接続帯（５−２）を左右2箇所、耳たぶ（Ｙ）を吊る様な形にして設け、前記接続帯（５−２）と環状の頭接体（４−１）に接続帯（５−２）の長さ調整機構４ａ・４ｂを設けて（図１０）、日除け体を頭にセットした時にゆとりが少なく成る様に、４ａ・４ｂの操作で長さを調整し、更に線体を設け、前記線体（５−５もしくは紐体）に、長さ調整機構（図９・Ｌａ・Ｌｂ）を設け、線体（５−５もしくは紐体）の一方の掛止部もしくは固着部（Ｊ）を、日除け体下部（１ｂ−１１）の斜め前方に左右2箇所設けて掛止又は固着し、線体（５−５もしくは紐体）の他方を、あご紐絞り体（５−３）を有するあご紐（５−１）と、接続帯（５−２）との交点の、耳骨下部から後ろ方向（０〜１０ｍｍ程度）に接続して固着（５−４）し、
【００３１】
更に頭接体周長調節機構（図１１−ａ・ｂ・Ｒａ）を設け、前記頭接体周長調節機構（図１１−ａ・ｂ・Ｒａ）で頭接体周長を調節し、日除け体の使用時に風が吹き出して日除け体がずれそうに成った時、あご紐のあご紐絞り体（５−３）を少し強く(頭部もしくは顎付近に圧迫感を感じ不快に成らない程度) 絞った時、前記接続帯（５−２）の固着（５−４）部と日除け体下部（１ｂ−１１）とを繋ぐ、線体（５−５）を指ではじくと「ピーン」と鳴るようにし、又接続帯（５−２）と線体（５−５）とあご紐の交点(固着部)の後ろ側の接続帯と頭部の間に、指も入り難いくらいに接続帯（５−２）と線体（５−５）の双方の長さ調整をする必要がある。
【００３２】
前記接続帯（５−２）と線体（５−５）の双方の長さ調整構造は、環状の頭接体（４−１）と接続帯（５−２）と、日除け体下部（１ｂ−１１）と、接続帯（５−２）と、の間の何処に設けても良く、接続帯（５−２）と線体（５−５）とあご紐の交点（固着部）が耳骨下部から後ろ方向（０〜１０ｍｍ程度）に成る様に調整できれば良い。
【００３３】
第一の発明に記載の環状の頭接体（４−１）は弾性体で、あご紐のあご紐絞り体（５−３）を少し強く絞った時、頭接部が頭の外周形状に近い方向になり、頭の外周の頭接部分が多くなる程度の弾性を有した物で、概略楕円形で頭接体周長調節機構（図１１−ａ・ｂ・Ｒａ）を有しており、前記機構を調節して頭接部の頭の外周より110%~120%長くすることでも、又頭接体周長調節機構（Ｒａ）を設けないで、頭接部サイズをＬＬ・L・M・S・ＳＳのように数段階に設けることでも対処出来る。
【００３４】
頭接体周長調節機構で現存している物は無数に有るが一例として図１１を記載した、前記調節機構の操作は頭接体（４−１）に嵌入した弾性体部を有するインナー（Ｒ３）に設けた凸（Ｒ−２）を押し込む操作をして頭接体（４−１）に設けた穴（Ｒ−１）に出し入れして周長を調節する。
【００３５】
図１２は簡易日除け体の裁断形成図で、日除け体と庇部を１〜２体に（裁断形成機の使用も出来る）裁断し、更に折り返しの凹線部（図１５・２ｂ−６ａ・２ｂ−６ｂ）を設けた物で、板体を図１２に加工し簡易日除け体組み付けの凸部（２ｂ−７）を簡易日除け体組み付けの穴部（１ｂ−８）に挿入して｛組み付け強度が不足する場合は、前記簡易日除け体組み付けの凸部２ｂ−７と簡易日除け体組み付けの穴部１ｂ−８の設置数を増加するか、又は板体Wり部２ｂ−９と２ｂ−７側の板体とに補強をする、（例えばホッチキス加工をプラスする）｝三角すい状の日除け体にして図１３の上から1段目の庇（２ｂ−１ａ）を日除け体のきり割り片（２ｂ−２ｂ）に 固着し図１４として、顎紐（５）のみ、もしくは接続帯（５−２）と線体（５−５）とあご紐（５−１）とあご紐絞り体（５−３）と頭接体周長調節機構（図１１−ａ・ｂ・Ｒａ）を設け、庇の一部を斜め上方向に折り返せ（図１4）、更に庇の全体も折り返せて（図７）、折り返し状態を保持する構造にした（図7・図１4）ハットである。
【図面の簡単な説明】
【００３６】
【図１】複数の庇と、庇間に設けた通風口とを有したハットの斜視図（ａ）と中間の庇の斜視図（ｂ）。
【図２】図１のＡ−Ａ断面図。
【図３】庇の一部もしくは全部を、斜め下向きから斜め上向きに折り返せるハットの斜視図。
【図４】上から1段目の庇の斜視図。
【図５】図4の庇を除いたハットの斜視図。
【図６】図4のＣ−Ｃ断面図。
【図７】図3のＢ−Ｂ断面図。
【図８】日除け体の頭部保持機構斜視図。
【図９】日除け体の頭部保持機構の線体の長さ調整機構の1例の斜視図。
【図１０】頭接体とあご紐とを接続する接続帯の、長さ調整機構の1例の斜視図。
【図１１】頭接体周長調節機構図
【図１２】簡易日除け体の裁断形成図。
【図１３】簡易日除け体上段の庇斜視図。
【図１４】図１２に図１３を組み付けた斜視図
【図１５】図１２のＤ−Ｄ断面図。
【符号の説明】
【００３７】
１ｂ．      日除け体（庇・折り返し部を持つ）
１ｂ−１．  1段目の庇
１ｂ−２．  ２段目の庇
１ｂ−５．  日除け体に固着する、庇の固着部
１ｂ−５ａ．日除け体に固着する、切欠き部を入れた庇の固着部
１ｂ−６．  庇及び日除け体の折り返しの凹線部
１ｂ−１１．日除け体下部で強度アップ部
２ｂ．      簡易日除け体
２ｂ−１ａ．上から1段目の庇
２ｂ−２ｂ．庇を固着する日除け体のきり割り片
２ｂ−２．  日除け体の庇部(上から2段目)
２ｂ−６ａ．上段の日除け体の折り返しの凹線部及び、日除け体のきり割り片の折り返しの凹線部              
２ｂ−６ｂ．下段の日除け体の折り返しの凹線部及び、日除け体のきり割り片の折り返しの凹線部              
２ｂ−７．  簡易日除け体組み付けの凸部
２ｂ−８．  簡易日除け体組み付けの穴部
２ｂ−９．  簡易日除け体組み付けのWり部
３ｂ．      庇の折り返し部を持たない 日除け体
３ｂ−１．  1段目の庇（天板）
３ｂ−２．  2段目の庇
３ｂ−３．  3段目の庇
３ｂ−４．  4段目の庇
３ｂ−５．  日除け体に固着する、庇の固着部
４−１．    環状の頭接体
４−２．    環状の頭接体と日除け体とを、接続する支持体
４ａ．      接続帯の長さ調整機構で環状の頭接体に固着されている凸
４ｂ．      接続帯の長さ調整機構で接続帯の片側に割れ目を持つ複数の穴部
５．        日除け体保持機構に属さない顎紐
５−１．    あご紐
５−２．    頭接体とあご紐とを接続する接続帯
５−３．    あご紐を絞る、絞り体
５−４．    接続帯と線体とあご紐とを、耳骨下部から後ろ方向で固着する固着部
５−５．    日除け体保持機構の線体もしくは紐体
Ｊ．        日除け体保持機構の線体の固着部で、日除け体下部の強度アップ部
Ｌａ．      日除け体保持機構の線体の長さ調整機構の一例a
Ｌｂ．      日除け体保持機構の線体の長さ調整機構の一例b
Ｒa．       頭接体周長調節機構の一例
Ｒ−１．    頭接体周長調節機構の頭接体（４−１）のインナーの凸（Ｒ−２）が入る穴
Ｒ−２．    頭接体周長調節機構の弾性体の割り溝を持つインナーの凸
Ｒ−３．    頭接体周長調節機構の頭接体（４−１）の弾性体の割り溝と凸を持つインナ    ー            
Ｙ．        耳たぶ
Ｙａ．      耳骨
Ｗ．        庇間に設けた通風口
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
日除け体と、これに取り付けられた庇とから成り、庇は部分円錐状の弾性材料より成り、庇は反転可能に庇円周部に反転折れ線を設け、庇取り付け下部の日除け体に通風口を形成した、ハット。
【請求項２】
請求項１のハットに、あご紐と、接続帯と、線体とを設け、接続帯はあご紐と頭接体とを接続し、線体の一端は日除け体下部に接続し、線体の他端は接続帯とあご紐の交点で耳骨下部から後方で固着した、請求項1に記載のハット。
【請求項３】
請求項１に記載の日除け体と庇の外面に遮光性状を持つものを使用し、日除け体の内面に遮熱性状を持つように形成した、請求項1もしくは請求項２に記載のハット。
【手続補正２】
【補正対象書類名】明細書
【補正対象項目名】全文
【補正方法】変更
【補正の内容】
【発明の詳細な説明】
【技術分野】
【０００１】
夏の炎天下、屋外で使用する日除け体で、前記日除け体に複数の庇（ひさし）をつけたハットに関する物である。
【背景技術】
【０００２】
つば前面は開閉が上下に自由に調整出来るのとコンパクトに折畳むことも出来る、日焼け防止傘で、傘本体に頭部2とつば3を設け、つばの前部は、前が見える様にアミ目模様の薄い布のつばの前部5を設け頭部にバンド6とリボン7を設けたもの、（例えば特許文献1）
【０００３】
クラウン部2及び鍔部3とから構成されている帽子1に於いて、当該クラウン部2の少なくとも1部であって、且つ当該クラウン部2の円周の少なくとも1部に帯状の通気部4を設けると共に当該通気部4に対応して当該通気部4を被覆する当該被覆部5が設けられており、当該被覆部5は当該通気部4を任意に且つ選択的に開放状態若しくは閉鎖状態にし得る様に構成されている帽子1である（例えば特許文献2）
【０００４】
特許文献1の、つば前面の開閉が上下に自由に出来る機構は、記憶形状ワイヤーを用いていて、どの様にすれば開閉が上下に出来るかの記載は無いが、本願発明のハットは日除け体に斜め下向きに設けた庇を、斜め上方向に一部もしくは全周を折り返せる様にして、通風口への集風効率を高め、下向きの作業の時は、庇を斜め下方向に一部を折り返せ、通常は全周を斜め上方向に折り返した状態で作業し、作業状態もしくは、雨が降り又は風が強く吹き出した時には通風口を閉じる事で対応し、通風口の開閉で雨の降り込み又は通風をON・OFFする機構とした、機構・構成面で差異がある。
【０００５】
特許文献2の、当該被覆部5は当該通気部4を任意に且つ選択的に開放・閉鎖状態にし得る様に成っている、その構成は、当該被覆部5の上縁部５２に弾性線条体１３をパイプ状の中に入れ前記弾性線条体１３を当該被覆部5の上縁部５２に周回させ前記弾性線条体１３のスライドにより当該通気部4を出したり覆ったりする構成であり、通気の量を調整する機能・効果の点では類似するも、本願発明のハットは日除け体の庇を、斜め下方向から斜め上方向に折り返せ、更に庇の全体も、斜め下方向から斜め上方向に折り返せて、折り返した状態を保持出来、折り返した日除け体の庇を、元の斜め下方向に戻せる機構にしたハットであり、ひさしを折り返す機構を設けて、通風口の開閉による、一部遮光調整(下向きの作業の時)が出来る機構とした、機構・構成面で差異がある。
【０００６】
【特許文献１】特開２００８−５７０９２        日焼け防止傘
【特許文献２】特許３６６０９０２              帽子
【発明の開示】
【発明が解決しようとする課題】
【０００７】
夏の炎天下屋外で両手を使って作業をする時、立って居るだけでも汗が出る条件下で、使用する日除け体では、帽子（野球帽を基本とした物・1つの庇を持つ物）、庇（ひさし）の大きい麦わら帽子、農作業等で女性が使用している、庇が野球帽子の様に付き頭部全体と首部を覆い日焼けを防止する物等が、代表格として挙げられるが、何れも日除けの効果しかなく頭と日除け体上部との間に熱がこもり、この頭と日除け体上部との間に熱をこもらなくして、快適と迄はいかないまでも不快感を和らげる効果の物で、炎天下屋外で作業若しくはレジャーが出来る、日除け体を作る事が課題である。
【課題を解決するための手段】
【０００８】
第一の発明は  日除け体と、これに取り付けられた庇とから成り、庇は部分円錐状の弾性材料より成り、庇は反転可能に庇円周部に反転折れ線を設け、庇取り付け下部の日除け体に通風口を形成した、ハットを提供する。
【０００９】
第ニの発明は第一の発明のハットに、あご紐と、接続帯と、線体とを設け、接続帯はあご紐と頭接体とを接続し、線体の一端は日除け体下部に接続し、線体の他端は接続帯とあご紐の交点で耳骨下部から後方で固着した、第一の発明に記載のハットを提供する。
【００１０】
第三の発明は第一の発明に記載の日除け体と庇の外面に遮光性状を持つものを使用し、日除け体の内面に遮熱性状を持つように形成した、請求項1もしくは請求項２に記載のハットを提供する。
【００１１】
日除け体の使用時の状態で、頭部を覆う部分から大径に伸ばした部分を庇とし、日除け体の頭部を覆う部分と庇とが一体と成って境がはっきりしない物もある。
又環状の頭接体と日除け体との間は間隔を設けて風を通り易くするのが良い。
【００１２】
第一の発明のハットに、あご紐（５−１）と、接続帯(５−２)と、線体（５−５）とを設け、接続帯(５−２）は、あご紐（５−１）と頭接体（４−１)とを接続し、線体の一端は日除け体下部（１ｂ−１１）に接続し、線体の他端は接続帯(５−２)とあご紐（５−１）の交点に接続し、前記頭接体とあご紐とを接続する接続帯と、線体もしくは紐体と、あご紐とを、耳骨（Ｙａ）下部から後ろ方向（５−４）で固着し、前記固着部が耳骨下頭蓋骨近接部０ｍｍから後ろ方向１０ｍｍ近辺になる様に、線体もしくは紐体及び接続帯（５−２）の長さを調節する事で、風によるハットの前後左右のずれ防止対策(日除け体の頭部保持機構)とする、前記線体（５−５) と接続帯を繋ぐ日除け体下部（１ｂ−１１）の位置は、日除け体の中心から少なくとも２５０mmＲの位置にすれば、６−８ｍ／ｓｅｃの風に抗して頭部に保持出来、線体もしくは紐体の長さ調節機構は色々有るが、同一人が使用する場合は一度だけの設定で良く、少し手数が掛かっても確実に係止（掛止）出来る機構が好ましい。
極端な表現をすれば線体（５−５）もしくは紐体の長さの調節と、接続帯（５−２）の長さの調節は、長さ調節機構を設け無くても、一度だけの設定だから購入した個人が自分に合う様に調節出来る調節要領書を添付することでも対応出来る。
尚あご紐絞り体（５−３）は少し力を入れないと作動出来ない程度が良い。
【００１３】
第一の発明及び、第三の発明の日除け体及び庇は、遮光・遮熱性状を持つ物を使用すればハット使用時の涼感が増し、又は外側に遮光性状を持つ物を固着するか、又は外側が遮光性状を持つ日除け体及び庇にして、日除け体及び庇の内側に遮熱性状を持つ物を固着すればハット使用時の涼感が更に増大するし、見た目にもスリムに見える。
【００１４】
第三の発明は、庇を斜め上方向に折り返せる（反転折れ線を円周部に設けた）庇で、庇の斜め下むきから斜め上方向に折り返す角度巾は限定しないが、折り返し易く更に集風効率を高める角度幅は、５０゜から８０゜が好ましく、日除け体及び庇は反転可能な弾性性状を有するもので、石油系樹脂材（ポリプロピレンを含む）を使用すれば庇及びハット全体を大径にすることが出来るし、日除け体及び庇の外側に、遮光性状を有する金属の蒸着をすることも出来る、又図６・１４の折り返しの凹線部は折り返し易くするには図６ｂ）・１４（ｂ）が良くハット全体を1ないし2体成型するのには図6（ｂ・ｃ）・１４（ｂ・ｃ）が良い。
【発明の効果】
【００１５】
夏の炎天下屋外で両手を使って作業をする時、もしくは移動しながら作業する時、頭と日除け体上部との間に熱をこもらなくなり、快適と迄はいかないまでも不快感を和らげる様になる。
【００１６】
このハットの外面及び内面に富士山とか衆議院良好党とかJリーグ・ファイトキャットとか大山県知事小山とかを、プリント若しくはワッペン等により表示することで、観光や野外会合・観戦後の土産物やスポーツチームグッズにすることが出来る。
【００１７】
日除け体と庇を、遮光性状を有する石油系樹脂材で一体成型し、内面（外面）に遮熱性状を持つ発泡材体を塗布もしくは固着すれば、イニシャルコストは掛かるが、ランニングコストは低く出来生産量が増えるほどマージンは大きくなる。
【００１８】
下段の庇端に暖簾状の「おしゃれな」遮光効果のフリル等をあしらう事で、紫外線カット（ＵＶカット）も出来日焼け防止にもなる。
【００１９】
第二の発明により今まで３−４ｍ／ｓｅｃの風でハットがずれていたのが、あご紐（５−１）と、頭接体（４−１）とあご紐（５−１）とを接続する接続帯（５−２）と、日除け体下部とを繋ぐ線体（５−５）と、頭接体周長調節機構（Ｒａ）の、セットをきっちりし、更にあご紐絞り体（５−３）に少し力を入れ絞りセットすれば６−８ｍ／ｓｅｃの風でもハットがずれ無くなった。
【実施例】
【００２０】
当発明の図面の重要部分は拡大・誇張して表示して詳細部が判り易くし、又実線と実線が近接していて、図の電子化オンライン送信の際、実線と実線の間が黒く成るケースが多々有るので、実線と実線の間を少し広くして表現するか又は１本の線であらわし、その他の部分に於いては縮尺して表示した部分もあり、又図面間の寸法は縮尺及び拡大されている。
【００２１】
日除け体（１ｂ・２ｂ・３ｂ）と、これに間隔を有して設けた複数の庇（１ｂ−1・２ｂ−１ａ・２ｂ−２・３ｂ−１〜３ｂ−４）と、日除け体の一部の庇（１ｂ−２）と庇間に設けた通風口（Ｗ）とを有し、環状の頭接体（４−１）と、前記頭接体（４−１）と日除け体とを接続する支持体（４−２）との構成で、顎紐（５）{日除け体及び環状の頭接体（４−１）から直接連結した物}を付けることもできるハット（図１・図３・図１4）。
【００２２】
頭接体（４−１）に、あご紐（５−１）と、前記頭接体とあご紐とを接続する接続帯（５−２）を設け、更に線体（５−５、もしくは紐体）を設け線体の一端を日除け体下部に、他端を前記接続帯に繋いで設け、前記接続帯と線体とあご紐とを、耳骨下部から後ろ方向で固着し（５−４）、日除け体の頭部保持機構として構成した、ハットで（図８）、前記あご紐（５−１）と、接続帯（５−２）と線体（５−５）との交点(固着部)が耳骨下部から後ろ方向にくる様に接続帯（５−２）と線体（５−５）との長さ調節構造を設けた物である。
【００２３】
００２２項記載の、あご紐（５−１）と、接続帯（５−２）と線体（５−５）との交点（固着部、５−４）は人により頭接体（４−１）に接する頭の形状や頭接部の周長や耳骨の形状が違うが、耳骨下部から後ろ方向（０〜１０ｍｍ程度）にすると、前方もしくは斜め前方向からの６〜８／ｓｅｃ程度の風に対する日除け体（１ｂ・２ｂ・３ｂ）の保持が出来、後方もしくは横方の風に対しては日除け体（１ｂ・２ｂ・３ｂ）を風上側に斜めに向けること事で対応出来る、また日除け体１ｂ・２ｂでは風上側の通風口（Ｗ）を閉じ方向に折り返す（反転する）こと事でも対応出来る。
【００２４】
図8の線体（５−５）及び頭接体とあご紐とを接続する接続帯（５−２）の長さ調整機構は、マジックファスナー（登録商標）を含め現在普及している物だけでも無数に有るので、本願発明では１〜２例図示（図８〜１０）するにとどめた。
【００２５】
日除け体の庇(反転折れ線部を持つ１ｂ−1・1ｂ−２・２ｂ−２）を、日除け体に斜め下向きに設け、前記庇の一部を斜め上方向に折り返せ（反転）、更に庇全体も折り返せて、折り返し状態を保持する構造にした（図3・図7・図１4）、もしくは日除け体に、庇取り付け折り返し部を持つきり割り片（図１2・２ｂ−１ｂ）に庇（図１3・２ｂ−１ａ）を固着して設けた、第一の発明もしくは第二の発明に記載のハット。
【００２６】
図１〜図２は間隔を開けて設けた複数の庇と、庇間に設けた通風口（Ｗ）とを有したハットの斜視図であり、日除け体本体から大径方向に伸ばした、日除け体固着部（３ｂ−５）を有した庇（３ｂ−２〜３ｂ−４・１図ｂ）と天板の庇（３ｂ−１）を、日除け体の本体（３ｂ）に固着し、庇間に通風口を設けたもので、通風口から入る直射日光を通風口の直上の庇で遮り、頭接体（４−１）と日除け体との間に熱がこもらない様にして、支持体（４−２）で頭接体（４−１）と日除け体とを支持し、前記頭接体（４−１）と日除け体との間には間隔を設け、更に頭接体とあご紐とを接続する接続帯（５−２）に、あご紐（５−１）を、又あご紐（５−１）にはあご紐を絞る絞り体（５−３）を設けた物で有り、庇及び日除け体には遮光・遮熱性状の少なくとも1性状を持つ物を使用すると涼感が増す。
尚日除け体の頭部保持機構に属さない顎紐（５）{日除け体及び環状の頭接体（４−１）から直接連結した物}を付けることもできるし、風の影響を受けない場所での使用が多いい人用に顎紐（５）をつけないハットも僅かな風をも通し、頭と日除け体上部との間に熱がこもるのを和らげるので、顎紐（５）をつけない物も当発明に含む。
【００２７】
図５は、日除け体（１ｂ）に折り返しの凹線部（１ｂ−６ｂ）を設けて、折り返す事が出来る庇（１ｂ−２）を下段に設け、更に通風口（Ｗ）を設けたもの｛環状の頭接体（４−１）と日除け体と支持体（４−２）と頭接体（４−１）に、あご紐（５−１）と、接続帯（５−２）等は設けられている、｝で、前記折り返しの凹線部（１ｂ−６ｂ）は図6の（ａ）・（ｂ）の様に板体に折り曲げの凹線、もしくは図6の（ｃ）の様に裏面にV・U線を成型(押し型)加工し折り曲げられる様にした物で、庇を含む日除け体部は一体成型加工も可能である。
【００２８】
図4は（ａ）・（ｂ）の反転の凹線部（１ｂ−６ａ）を有し、日除け体に固着する固着部（１ｂ−５）を設けた上段の庇で、固着部（１ｂ−５）にVの切り込みを入れた図4 （ｂ） でも良く、前記庇を上段に庇が斜め下向きに成るように図5の日除け体に固着する。
【００２９】
図４の庇を図５の日除け体に固着したものが図3で、図7の１ｂ−１・１ｂ−２の仮想線で表示している様に庇全体を折り返すことも又図１４の様に一方向を折り返すことも出来、更にその状態を保持出来るハットである。
【００３０】
図8は日除け体の頭部保持機構斜視図で、日除け体（１ｂ・２ｂ・３ｂ）の日除け体本体を透視し（省いて）、日除け体の頭部保持機構の詳細を表示したもので、環状の頭接体（４−１）を概略4等分した位置から、頭接体とあご紐とを接続する接続帯（５−２）を左右2箇所、耳たぶ（Ｙ）を吊る様な形にして設け、前記接続帯（５−２）と環状の頭接体（４−１）に接続帯（５−２）の長さ調整機構４ａ・４ｂを設けて（図１０）、日除け体を頭にセットした時にゆとりが少なく成る様に、４ａ・４ｂの操作で長さを調整し、更に線体を設け、前記線体（５−５もしくは紐体）に、長さ調整機構（図９・Ｌａ・Ｌｂ）を設け、線体（５−５もしくは紐体）の一方の掛止部もしくは固着部（Ｊ）を、日除け体下部（１ｂ−１１）の斜め前方に左右2箇所設けて掛止又は固着し、線体（５−５もしくは紐体）の他方を、あご紐絞り体（５−３）を有するあご紐（５−１）と、接続帯（５−２）との交点の、耳骨下部から後ろ方向（０〜１０ｍｍ程度）に接続して固着（５−４）し、
【００３１】
更に頭接体周長調節機構（図１１−ａ・ｂ・Ｒａ）を設け、前記頭接体周長調節機構（図１１−ａ・ｂ・Ｒａ）で頭接体周長を調節し、日除け体の使用時に風が吹き出して日除け体がずれそうに成った時、あご紐のあご紐絞り体（５−３）を少し強く(頭部もしくは顎付近に圧迫感を感じ不快に成らない程度) 絞った時、前記接続帯（５−２）の固着（５−４）部と日除け体下部（１ｂ−１１）とを繋ぐ、線体（５−５）を指ではじくと「ピーン」と鳴るようにし、又接続帯（５−２）と線体（５−５）とあご紐の交点(固着部)の後ろ側の接続帯と頭部の間に、指も入り難いくらいに接続帯（５−２）と線体（５−５）の双方の長さ調整をする必要がある。
【００３２】
前記接続帯（５−２）と線体（５−５）の双方の長さ調整構造は、環状の頭接体（４−１）と接続帯（５−２）と、日除け体下部（１ｂ−１１）と、接続帯（５−２）と、の間の何処に設けても良く、接続帯（５−２）と線体（５−５）とあご紐の交点（固着部）が耳骨下部から後ろ方向（０〜１０ｍｍ程度）に成る様に調整できれば良い。
【００３３】
００３０項に記載の環状の頭接体（４−１）は弾性体で、あご紐のあご紐絞り体（５−３）を少し強く絞った時、頭接部が頭の外周形状に近い方向になり、頭の外周の頭接部分が多くなる程度の弾性を有した物で、概略楕円形で頭接体周長調節機構（図１１−ａ・ｂ・Ｒａ）を有しており、前記機構を調節して頭接部の頭の外周より110%~120%長くすることでも、又頭接体周長調節機構（Ｒａ）を設けないで、頭接部サイズをＬＬ・L・M・S・ＳＳのように数段階に設けることでも対処出来る。
【００３４】
頭接体周長調節機構で現存している物は無数に有るが一例として図１１を記載した、前記調節機構の操作は頭接体（４−１）に嵌入した弾性体部を有するインナー（Ｒ３）に設けた凸（Ｒ−２）を押し込む操作をして頭接体（４−１）に設けた穴（Ｒ−１）に出し入れして周長を調節する。
【００３５】
図１２は簡易日除け体の裁断形成図で、日除け体と庇部を１〜２体に（裁断形成機の使用も出来る）裁断し、更に折り返しの凹線部（図１５・２ｂ−６ａ・２ｂ−６ｂ）を設けた物で、板体を図１２に加工し簡易日除け体組み付けの凸部（２ｂ−７）を簡易日除け体組み付けの穴部（１ｂ−８）に挿入して｛組み付け強度が不足する場合は、前記簡易日除け体組み付けの凸部２ｂ−７と簡易日除け体組み付けの穴部１ｂ−８の設置数を増加するか、又は板体Wり部２ｂ−９と２ｂ−７側の板体とに補強をする、（例えばホッチキス加工をプラスする）｝三角すい状の日除け体にして図１３の上から1段目の庇（２ｂ−１ａ）を日除け体のきり割り片（２ｂ−２ｂ）に 固着し図１４として、顎紐（５）のみ、もしくは接続帯（５−２）と線体（５−５）とあご紐（５−１）とあご紐絞り体（５−３）と頭接体周長調節機構（図１１−ａ・ｂ・Ｒａ）を設け、庇の一部を斜め上方向に折り返せ（図１4）、更に庇の全体も折り返せて（図７）、折り返し状態を保持する構造にした（図7・図１4）ハットである。
【図面の簡単な説明】
【００３６】
【図１】複数の庇と、庇間に設けた通風口とを有したハットの斜視図（ａ）と中間の庇の斜視図（ｂ）。
【図２】図１のＡ−Ａ断面図。
【図３】庇の一部もしくは全部を、斜め下向きから斜め上向きに折り返せるハットの斜視図。
【図４】上から1段目の庇の斜視図。
【図５】図4の庇を除いたハットの斜視図。
【図６】図4のＣ−Ｃ断面図。
【図７】図3のＢ−Ｂ断面図。
【図８】日除け体の頭部保持機構斜視図。
【図９】日除け体の頭部保持機構の線体の長さ調整機構の1例の斜視図。
【図１０】頭接体とあご紐とを接続する接続帯の、長さ調整機構の1例の斜視図。
【図１１】頭接体周長調節機構図
【図１２】簡易日除け体の裁断形成図。
【図１３】簡易日除け体上段の庇斜視図。
【図１４】図１２に図１３を組み付けた斜視図
【図１５】図１２のＤ−Ｄ断面図。
【符号の説明】
【００３７】
１ｂ．      日除け体（庇・折り返し部を持つ）
１ｂ−１．  1段目の庇
１ｂ−２．  ２段目の庇
１ｂ−５．  日除け体に固着する、庇の固着部
１ｂ−５ａ．日除け体に固着する、切欠き部を入れた庇の固着部
１ｂ−６．  庇及び日除け体の折り返しの凹線部
１ｂ−１１．日除け体下部で強度アップ部
２ｂ．      簡易日除け体
２ｂ−１ａ．上から1段目の庇
２ｂ−２ｂ．庇を固着する日除け体のきり割り片
２ｂ−２．  日除け体の庇部(上から2段目)
２ｂ−６ａ．上段の日除け体の反転折れ線の凹線部及び、日除け体のきり割り片の折り返しの凹線部              
２ｂ−６ｂ．下段の日除け体の反転折れ線のの凹線部及び、日除け体のきり割り片の折り返しの凹線部              
２ｂ−７．  簡易日除け体組み付けの凸部
２ｂ−８．  簡易日除け体組み付けの穴部
２ｂ−９．  簡易日除け体組み付けのWり部
３ｂ．      庇の折り返し部を持たない 日除け体
３ｂ−１．  1段目の庇（天板）
３ｂ−２．  2段目の庇
３ｂ−３．  3段目の庇
３ｂ−４．  4段目の庇
３ｂ−５．  日除け体に固着する、庇の固着部
４−１．    環状の頭接体
４−２．    環状の頭接体と日除け体とを、接続する支持体
４ａ．      接続帯の長さ調整機構で環状の頭接体に固着されている凸
４ｂ．      接続帯の長さ調整機構で接続帯の片側に割れ目を持つ複数の穴部
５．        日除け体保持機構に属さない顎紐
５−１．    あご紐
５−２．    頭接体とあご紐とを接続する接続帯
５−３．    あご紐を絞る、絞り体
５−４．    接続帯と線体とあご紐とを、耳骨下部から後ろ方向で固着する固着部
５−５．    日除け体保持機構の線体もしくは紐体
Ｊ．        日除け体保持機構の線体の固着部で、日除け体下部の強度アップ部
Ｌａ．      日除け体保持機構の線体の長さ調整機構の一例a
Ｌｂ．      日除け体保持機構の線体の長さ調整機構の一例b
Ｒa．       頭接体周長調節機構の一例
Ｒ−１．    頭接体周長調節機構の頭接体（４−１）のインナーの凸（Ｒ−２）が入る穴
Ｒ−２．    頭接体周長調節機構の弾性体の割り溝を持つインナーの凸
Ｒ−３．    頭接体周長調節機構の頭接体（４−１）の弾性体の割り溝と凸を持つインナ    ー            
Ｙ．        耳たぶ
Ｙａ．      耳骨
Ｗ．        庇間に設けた通風口